(57)【要約】【課題】装置の大型化を抑止することができる撮像装置を提供する。【解決手段】先幕２は、光学系の光路上の第３の位置から、光学系によって結像された被写体像を遮らない第４の位置へ付勢力により撮像素子ＩＭＧの撮像面と平行に移動するよう付勢されている。後幕３は、光学系の光路上の第３の位置から、光学系によって結像された被写体像を遮らない第４の位置へ付勢力により撮像素子ＩＭＧの撮像面と平行に移動するよう付勢されている。複眼レンズ１は、先幕駆動機構と後幕駆動機構のいずれか一方または両方により、光学系の光路上の第１の位置と、光学系によって結像された被写体像を遮らない第２の位置との間で撮像素子ＩＭＧの撮像面と平行に移動する。【選択図】図２
2011215191.tif 000002
【特許請求の範囲】
【請求項１】
撮像素子と、
被写体から入射した光を前記撮像素子に結像させる光学系と、
前記光学系の光路上の第１の位置と、前記光学系によって結像された被写体像を遮らない第２の位置との間で前記撮像素子の撮像面と平行に移動する複眼レンズを有し、前記複眼レンズが前記第１の位置にあるときの前記撮像素子の出力から前記光学系の結像位置を調節するオートフォーカス機構と、
前記光学系の光路上の第３の位置から、前記光学系によって結像された被写体像を遮らない第４の位置へ付勢力により前記撮像素子の撮像面と平行に移動するよう付勢されている先幕シャッターと、
前記光学系によって結像された被写体像を遮らない第５の位置から前記光学系の光路上の第６の位置へ付勢力により前記撮像素子の撮像面と平行に移動するよう付勢されている後幕シャッターと、
前記先幕シャッターを前記第４の位置から前記第３の位置に移動させる先幕駆動機構と、
前記先幕シャッターを、付勢力が蓄えられた前記第３の位置に保持する先幕保持機構と、
前記後幕シャッターを前記第６の位置から前記第５の位置に移動させる後幕駆動機構と、
前記後幕シャッターを、付勢力が蓄えられた前記第５の位置に保持する後幕保持機構と
を有し、
前記複眼レンズは、前記先幕駆動機構と前記後幕駆動機構のいずれか一方または両方により前記第１の位置と前記第２の位置の間で移動する
ことを特徴とする撮像装置。
【請求項２】
前記複眼レンズは、前記第２の位置から前記第１の位置に移動するよう付勢されており、前記先幕駆動機構により、前記第１の位置から、付勢力が蓄えられた前記第２の位置に移動することを特徴とする請求項１に係る撮像装置。
【請求項３】
前記複眼レンズは、前記第１の位置から前記第２の位置に移動するよう付勢されており、前記後幕駆動機構により、前記第２の位置から、付勢力が蓄えられた前記第１の位置に移動し、前記先幕保持機構により、付勢力を蓄えた前記第１の位置に保持されることを特徴とする請求項１に係る撮像装置。
【請求項４】
前記複眼レンズは、前記先幕駆動機構により、前記第１の位置から前記第２の位置に移動し、前記後幕駆動機構により、前記第２の位置から前記第１の位置に移動することを特徴とする請求項１に係る撮像装置。
【発明の詳細な説明】
【技術分野】
【０００１】
本発明は、レンチキュラレンズ等の複眼レンズを用いた撮像装置に関する。
【背景技術】
【０００２】
一眼レフカメラ等の撮像装置の焦点位置検出方法として、ＴＴＬ位相差方式と呼ばれる方法が一般に用いられている。しかし、ＴＴＬ位相差方式では焦点位置を検出するために専用の焦点位置検出装置を設置する必要があるため、コストが高くなる。また、撮像装置内に焦点位置検出装置を設置するためのスペースが必要なことから、撮像装置が大型化する。
【０００３】
これに対して、特許文献１では、可動式の複眼レンズを用いた撮像装置が提案されている。この撮像装置では、図７（ａ）に示すように、合焦動作時には複眼レンズ７１が撮像素子７２の前方に配置され、複眼レンズ７１によって結像された被写体像が撮像素子７２に入射する。このときの撮像素子７２の画像出力から焦点位置が検出される。また、撮影時には、図７（ｂ）に示すように複眼レンズ７１が回転軸７３を中心として上方に回転することによって、撮像素子７２に入射する被写体像を遮らない位置に移動する。このように特許文献１の撮像装置では、合焦動作時に撮像素子の画像出力から焦点位置を検出することが可能となるので、専用の焦点位置検出装置を設置する必要がなくなる。
【０００４】
しかし、特許文献１の撮像装置では、複眼レンズが回転するためのスペースが必要になり、撮像装置が大型化する。これに対して、特許文献２では、複眼レンズが撮像素子の撮像面に沿って平行にスライドすることによって、特許文献１の撮像装置よりも小型化することが可能な撮像装置が提案されている。
【先行技術文献】
【特許文献】
【０００５】
【特許文献１】特開２００９−１６９０２５号公報
【特許文献２】特開２００８−３１２０８０号公報
【発明の概要】
【発明が解決しようとする課題】
【０００６】
しかし、特許文献２では、複眼レンズをスライドさせるための駆動装置が必要になる。撮像装置では、撮像素子の撮像面に沿って平行にスライドする一般的な機構としてフォーカルプレーンシャッターがある。フォーカルプレーンシャッターを使用した撮像装置では、先幕と後幕と呼ばれる２枚の幕が所定の間隔を保ちながら撮像素子の前方を走行することによって、所定時間の露光が行われる。フォーカルプレーンシャッターを使用した撮像装置に対して、複眼レンズを駆動する専用の駆動装置を設置すると、撮像装置が大型化する。
【０００７】
本発明は、上述した課題に鑑みてなされたものであって、装置の大型化を抑止することができる撮像装置を提供することを目的とする。
【課題を解決するための手段】
【０００８】
本発明は、上記の課題を解決するためになされたもので、撮像素子と、被写体から入射した光を前記撮像素子に結像させる光学系と、前記光学系の光路上の第１の位置と、前記光学系によって結像された被写体像を遮らない第２の位置との間で前記撮像素子の撮像面と平行に移動する複眼レンズを有し、前記複眼レンズが前記第１の位置にあるときの前記撮像素子の出力から前記光学系の結像位置を調節するオートフォーカス機構と、前記光学系の光路上の第３の位置から、前記光学系によって結像された被写体像を遮らない第４の位置へ付勢力により前記撮像素子の撮像面と平行に移動するよう付勢されている先幕シャッターと、前記光学系によって結像された被写体像を遮らない第５の位置から前記光学系の光路上の第６の位置へ付勢力により前記撮像素子の撮像面と平行に移動するよう付勢されている後幕シャッターと、前記先幕シャッターを前記第４の位置から前記第３の位置に移動させる先幕駆動機構と、前記先幕シャッターを、付勢力が蓄えられた前記第３の位置に保持する先幕保持機構と、前記後幕シャッターを前記第６の位置から前記第５の位置に移動させる後幕駆動機構と、前記後幕シャッターを、付勢力が蓄えられた前記第５の位置に保持する後幕保持機構とを有し、前記複眼レンズは、前記先幕駆動機構と前記後幕駆動機構のいずれか一方または両方により前記第１の位置と前記第２の位置の間で移動することを特徴とする撮像装置である。
【０００９】
また、本発明の撮像装置において、前記複眼レンズは、前記第２の位置から前記第１の位置に移動するよう付勢されており、前記先幕駆動機構により、前記第１の位置から、付勢力が蓄えられた前記第２の位置に移動することを特徴とする。
【００１０】
また、本発明の撮像装置において、前記複眼レンズは、前記第１の位置から前記第２の位置に移動するよう付勢されており、前記後幕駆動機構により、前記第２の位置から、付勢力が蓄えられた前記第１の位置に移動し、前記先幕保持機構により、付勢力を蓄えた前記第１の位置に保持されることを特徴とする。
【００１１】
また、本発明の撮像装置において、前記複眼レンズは、前記先幕駆動機構により、前記第１の位置から前記第２の位置に移動し、前記後幕駆動機構により、前記第２の位置から前記第１の位置に移動することを特徴とする。
【発明の効果】
【００１２】
本発明によれば、先幕駆動機構と後幕駆動機構のいずれか一方または両方により複眼レンズを移動させることによって、複眼レンズ専用の駆動機構が必要ないため、装置の大型化を抑止することができる。
【図面の簡単な説明】
【００１３】
【図１】本発明の各実施形態で使用する撮像装置の構成を示すブロック図である。
【図２】本発明の第１の実施形態によるシャッター部の構成を示すブロック図である。
【図３】本発明の第１の実施形態における複眼レンズ、先幕、および後幕の位置を説明するための参考図である。
【図４】本発明の第２の実施形態によるシャッター部の構成を示すブロック図である。
【図５】本発明の第３の実施形態によるシャッター部の構成を示すブロック図である。
【図６】本発明の各実施形態における撮像装置の動作を示す参考図である。
【図７】可動式の複眼レンズを用いた撮像装置における複眼レンズの駆動の様子を示す参考図である。
【発明を実施するための形態】
【００１４】
以下、図面を参照し、本発明の実施形態を説明する。図１は、後述する各実施形態で使用する撮像装置の構成を示している。図１に示す撮像装置ＣＡＭは、撮像光学系ＭＯと、信号処理部ＣＰＵと、光学系駆動部ＯＤと、設定ボタンＳＢと、シャッターボタンＳＴと、表示装置ＤＤとで構成されている。
【００１５】
撮像光学系ＭＯは、被写体像を結像し、結像された被写体像を撮影する。この撮像光学系ＭＯは、交換が可能な撮影レンズＯＬと、撮像素子ＩＭＧと、シャッター部ＳＴＰとを有する。撮影レンズＯＬは、被写体に関する光束を撮像素子ＩＭＧに結像するための光学系である。この撮影レンズＯＬは、光学系駆動部ＯＤによって光軸方向に自在に駆動される。撮影レンズＯＬが光軸方向に移動することにより、撮影レンズＯＬの焦点位置が移動する。撮像素子ＩＭＧは、入射した被写体像を光電変換し、画像出力Ｖｏｕｔとして出力する。シャッター部ＳＴＰは、先幕および後幕を有するシャッターと、複眼レンズとを有する。シャッター部ＳＴＰの詳細な構成については後述する。
【００１６】
信号処理部ＣＰＵは、測距演算部ＡＦＣと、画像処理部ＩＰと、記録装置ＭＥＭとで構成されている。信号処理部ＣＰＵには、設定ボタンＳＢと、シャッターボタンＳＴと、表示装置ＤＤと、撮像素子ＩＭＧと、シャッター部ＳＴＰと、光学系駆動部ＯＤとが接続されている。信号処理部ＣＰＵは、設定ボタンＳＢおよびシャッターボタンＳＴから入力された信号と、撮像素子ＩＭＧから得られる画素出力Ｖｏｕｔとに基づき、撮像装置ＣＡＭの制御や信号処理等を行う。また、信号処理部ＣＰＵは、シャッター部ＳＴＰに対する制御信号ＣＴＲＬ、光学系駆動部ＯＤに対する制御信号、および撮像素子ＩＭＧに対するコマンドＣＭＤを出力する。また、信号処理部ＣＰＵは、信号処理を行った画像信号を表示装置ＤＤへ出力する。信号処理のうち、測距演算に相当する処理は測距演算部ＡＦＣによって行われ、表示用の画像処理等の処理は画像処理部ＩＰによって行われる。信号処理が行われた画像信号は必要に応じて記録装置ＭＥＭに保存される。
【００１７】
光学系駆動部ＯＤは、撮影レンズＯＬを光軸方向に自在に移動させる。具体的には、光学系駆動部ＯＤは、信号処理部ＣＰＵで演算された結果に基づいて、撮影レンズＯＬの焦点を合焦とするために図示しないレンズ駆動モータを制御して、撮影レンズＯＬを光軸方向に移動させる。これによって、撮影レンズＯＬの結像位置が調節される。複眼レンズ、信号処理部ＣＰＵ、および光学系駆動部ＯＤはオートフォーカス機構を構成する。
【００１８】
シャッターボタンＳＴは、撮影者が撮影のタイミングを決定するために用いるボタンである。設定ボタンＳＢは、撮影者が撮像装置ＣＡＭの動作モードを決定するために用いるボタンである。表示装置ＤＤは、信号処理部ＣＰＵで処理された画像信号に基づく画像を表示する。
【００１９】
（第１の実施形態）
図２は、第１の実施形態によるシャッター部ＳＴＰの構成を示している。シャッター部ＳＴＰは、複眼レンズ１と、先幕２と、後幕３と、駆動機構４と、固定枠１０と、保持機構２１，２２，２３と、伝達機構３１，３２，３３と、付勢機構４１，４２，４３とで構成されている。
【００２０】
複眼レンズ１、先幕２、および後幕３は固定枠１０内に配置されている。複眼レンズ１は、複数のレンズの集合体であるレンチキュラレンズやフライアイレンズ等である。先幕２と後幕３は、フォーカルプレーンシャッターを構成する２枚の幕である。複眼レンズ１、先幕２、および後幕３は、撮像素子ＩＭＧの撮像面に平行な方向（図２のＹ方向およびその反対方向）に移動できるように構成されている。
【００２１】
図３は、複眼レンズ１、先幕２、および後幕３が静止する位置を示している。図３は、撮像装置ＣＡＭの正面から図２のＺ方向に撮像装置ＣＡＭを見た場合の図である。図３には、撮像素子ＩＭＧの位置も示してある。複眼レンズ１、先幕２、および後幕３が静止する位置は、垂直方向において異なる３つの位置Ｈ，Ｍ，Ｌのいずれかである。位置Ｍは、撮影レンズＯＬの光路上にある。複眼レンズ１は位置Ｍと位置Ｌの間で移動することができる。先幕２は位置Ｍと位置Ｌの間で移動することができる。後幕３は位置Ｈと位置Ｍの間で移動することができる。
【００２２】
複眼レンズ１、先幕２、および後幕３は、それぞれが静止可能な２つの位置のうち一方の位置において付勢力を付与され、付勢力によって他方の位置へ移動する。駆動機構４は、複眼レンズ１、先幕２、および後幕３を、付勢力が開放された位置から、付勢力が蓄えられた位置まで移動させるための駆動力を発生する。
【００２３】
第１の実施形態では、複眼レンズ１は、位置Ｌにおいて付勢力を付与され、付勢力によって位置Ｍへ移動する。また、複眼レンズ１は、駆動機構４が発生する駆動力によって位置Ｍから位置Ｌへ移動する。先幕２は、位置Ｍにおいて付勢力を付与され、付勢力によって位置Ｌへ移動する。また、先幕２は、駆動機構４が発生する駆動力によって位置Ｌから位置Ｍへ移動する。後幕３は、位置Ｈにおいて付勢力を付与され、付勢力によって位置Ｍへ移動する。また、後幕３は、駆動機構４が発生する駆動力によって位置Ｍから位置Ｈへ移動する。
【００２４】
保持機構２１，２２，２３は、例えば電磁石あるいは永久磁石で構成され、複眼レンズ１、先幕２、および後幕３を、付勢力が蓄えられた位置に保持する。保持機構２１は、後幕３を、付勢力が蓄えられた位置Ｈに保持する。保持機構２２は、先幕２を、付勢力が蓄えられた位置Ｍに保持する。保持機構２３は、複眼レンズ１を、付勢力が蓄えられた位置Ｌに保持する。このように、保持機構２１，２２，２３は、付勢機構によって各部材に付与される付勢力に逆らって各部材を保持する機構である。なお、付勢力以外の力（例えば重力）に逆らって各部材を保持する機構については図示していない。
【００２５】
伝達機構３１，３２，３３は、例えば歯車（ギア）で構成され、駆動機構４が発生した駆動力を複眼レンズ１、先幕２、および後幕３に伝達する。伝達機構３１は駆動力を後幕３に伝達する。伝達機構３２は駆動力を複眼レンズ１に伝達する。伝達機構３３は駆動力を先幕２に伝達する。
【００２６】
付勢機構４１，４２，４３は、例えばバネで構成され、複眼レンズ１、先幕２、および後幕３に付勢力を付与する。付勢機構４１は、位置Ｈに保持された後幕３に付勢力を付与する。付勢機構４２は、位置Ｌに保持された複眼レンズ１に付勢力を付与する。付勢機構４３は、位置Ｍに保持された先幕２に付勢力を付与する。
【００２７】
次に、本実施形態による撮像装置ＣＡＭの動作を説明する。電源が投入されると、撮像装置ＣＡＭは、連続的に撮像した画像をリアルタイムに表示するライブビュー表示動作を行う。このとき、図６（ａ）に示すように、複眼レンズ１は位置Ｍにあり、先幕２は位置Ｌにある。後幕３は、付勢機構４１の付勢力が蓄えられた位置Ｈに、保持機構２１によって保持されている。
【００２８】
ライブビュー表示動作では、信号処理部ＣＰＵによって処理された画像信号に基づく画像が表示装置ＤＤに表示される。撮像素子ＩＭＧには、複眼レンズ１を透過した被写体像が結像されるため、得られる画像は高精細な画像ではないが、撮影者が画角等の確認を行うには十分である。また、ライブビュー表示動作において、撮影者がシャッターボタンＳＴを半分押すと、オートフォーカス動作が実行される。より具体的には、信号処理部ＣＰＵの測距演算部ＡＦＣは、撮像素子ＩＭＧからの画像出力Ｖｏｕｔに基づいて、撮影レンズＯＬから被写体までの距離を演算する。光学系駆動部ＯＤは、測距演算部ＡＦＣの演算結果に基づいて撮影レンズＯＬを光軸方向に移動させる。
【００２９】
続いて、シャッターボタンＳＴが完全に押されると、撮像装置ＣＡＭは、撮像素子ＩＭＧをリセットするリセット動作を行う。このとき、図６（ｂ）に示すように、複眼レンズ１は、駆動機構４が発生する駆動力によって、付勢機構４２の付勢力が蓄えられた位置Ｌに移動し、保持機構２３によって保持される。先幕２は、駆動機構４が発生する駆動力によって、付勢機構４３の付勢力が蓄えられた位置Ｍに移動し、保持機構２２によって保持される。後幕３は、付勢機構４１の付勢力が蓄えられた位置Ｈに、保持機構２１によって保持されたままである。
【００３０】
撮像素子ＩＭＧのリセット動作が終了すると、撮像装置ＣＡＭは露光動作を行う。このとき、図６（ｃ）に示すように、先幕２が付勢機構４３の付勢力によって走行を開始し、少し遅れて後幕３が付勢機構４１の付勢力によって走行を開始する。露光動作が終了し、撮影が終了すると、図６（ｄ）に示すように、先幕２は位置Ｌにあり、後幕３は位置Ｍにある。複眼レンズ１は、付勢機構４２の付勢力が蓄えられた位置Ｌに、保持機構２３によって保持されたままである。また、画像処理部ＩＰで処理された画像信号が記録装置ＭＥＭに保存される。
【００３１】
撮影が終了すると、撮像装置ＣＡＭは再びライブビュー表示動作を行う。複眼レンズ１は、付勢機構４２の付勢力によって位置Ｍに移動する。また、後幕３は、駆動機構４が発生する駆動力によって、付勢機構４１の付勢力が蓄えられた位置Ｈに移動し、保持機構２１によって保持される。
【００３２】
上述したように、本実施形態によれば、図６（ａ）の状態から図６（ｂ）の状態に移行するときに、駆動機構４が発生する駆動力によって、複眼レンズ１が位置Ｌに移動し、先幕２が位置Ｍに移動する。このように、複眼レンズ１の駆動と先幕２の駆動とを同時に行うことによって、駆動機構４が発生する駆動力を複眼レンズ１と先幕２の駆動で共通に使用することができる。したがって、複眼レンズ専用の駆動機構が必要ないため、装置の大型化を抑止することができる。
【００３３】
本実施形態では、複眼レンズ１が、付勢力が蓄えられた位置Ｌと付勢力が開放された位置Ｍとの間で移動する例を示したが、複眼レンズ１が、付勢力が蓄えられた位置Ｈと付勢力が開放された位置Ｍとの間で移動するようにしてもよい。この場合、保持機構２３に対応する機構として、後幕３を位置Ｈに保持する機構とは別に複眼レンズ１を位置Ｈに保持する機構を設けてもよい。
【００３４】
（第２の実施形態）
図４は、第２の実施形態によるシャッター部ＳＴＰの構成を示している。図４において、図２と同一の部材には同一の符号が付与されている。図４では、図２と比較して、保持機構２３が削除されている。本実施形態では、複眼レンズ１は、位置Ｍにおいて付勢力を付与され、付勢力によって位置Ｌへ移動する。また、複眼レンズ１は、駆動機構４が発生する駆動力によって位置Ｌから位置Ｍへ移動する。
【００３５】
以下、本実施形態による撮像装置ＣＡＭの動作を説明する。以下では、複眼レンズ１、先幕２、および後幕３の移動に関する動作のみを説明する。ライブビュー表示動作では、図６（ａ）に示すように、複眼レンズ１は、付勢機構４２の付勢力が蓄えられた位置Ｍに、保持機構２２によって保持されている。先幕２は位置Ｌにある。後幕３は、付勢機構４１の付勢力が蓄えられた位置Ｈに、保持機構２１によって保持されている。
【００３６】
撮像素子ＩＭＧのリセット動作時には、図６（ｂ）に示すように、複眼レンズ１は、付勢機構４２の付勢力によって位置Ｌに移動する。先幕２は、駆動機構４が発生する駆動力によって、付勢機構４３の付勢力が蓄えられた位置Ｍに移動し、保持機構２２によって保持される。後幕３は、付勢機構４１の付勢力が蓄えられた位置Ｈに、保持機構２１によって保持されたままである。
【００３７】
露光動作時には、図６（ｃ）に示すように、先幕２が付勢機構４３の付勢力によって走行を開始し、少し遅れて後幕３が付勢機構４１の付勢力によって走行を開始する。露光動作が終了し、撮影が終了すると、図６（ｄ）に示すように、先幕２は位置Ｌにあり、後幕３は位置Ｍにある。複眼レンズ１は位置Ｌにある。
【００３８】
撮影が終了して撮像装置ＣＡＭが再度ライブビュー表示動作を行う際に複眼レンズ１は、駆動機構４が発生する駆動力によって、付勢機構４２の付勢力が蓄えられた位置Ｍに移動し、保持機構２２によって保持される。また、後幕３は、駆動機構４が発生する駆動力によって、付勢機構４１の付勢力が蓄えられた位置Ｈに移動し、保持機構２１によって保持される。
【００３９】
上述したように、本実施形態によれば、図６（ｄ）の状態から図６（ａ）の状態に移行するときに、駆動機構４が発生する駆動力によって、複眼レンズ１が位置Ｍに移動し、後幕３が位置Ｈに移動する。このように、複眼レンズ１の駆動と後幕３の駆動とを同時に行うことによって、駆動機構４が発生する駆動力を複眼レンズ１と後幕３の駆動で共通に使用することができる。したがって、複眼レンズ専用の駆動機構が必要ないため、装置の大型化を抑止することができる。また、本実施形態では、複眼レンズ１が位置Ｍに保持されるので、先幕２を位置Ｍに保持する保持機構２２によって複眼レンズ１を保持することができ、第１の実施形態における保持機構２３を削減することができる。
【００４０】
本実施形態では、複眼レンズ１が、付勢力が蓄えられた位置Ｍと付勢力が開放された位置Ｌとの間で移動する例を示したが、複眼レンズ１が、付勢力が蓄えられた位置Ｍと付勢力が開放された位置Ｈとの間で移動するようにしてもよい。
【００４１】
（第３の実施形態）
図５は、第３の実施形態によるシャッター部ＳＴＰの構成を示している。図５において、図２と同一の部材には同一の符号が付与されている。図５では、図２と比較して、保持機構２３および付勢機構４２が削除されている。本実施形態では、複眼レンズ１は、付勢機構によって付与される付勢力を利用せず、駆動機構４が発生する駆動力によって位置Ｌと位置Ｍとの間で移動する。
【００４２】
以下、本実施形態による撮像装置ＣＡＭの動作を説明する。以下では、複眼レンズ１、先幕２、および後幕３の移動に関する動作のみを説明する。ライブビュー表示動作では、図６（ａ）に示すように、複眼レンズ１は位置Ｍにあり、先幕２は位置Ｌにある。後幕３は、付勢機構４１の付勢力が蓄えられた位置Ｈに、保持機構２１によって保持されている。
【００４３】
撮像素子ＩＭＧのリセット動作時には、図６（ｂ）に示すように、複眼レンズ１は、駆動機構４が発生する駆動力によって位置Ｍに移動する。先幕２は、駆動機構４が発生する駆動力によって、付勢機構４３の付勢力が蓄えられた位置Ｌに移動し、保持機構２２によって保持される。後幕３は、付勢機構４１の付勢力が蓄えられた位置Ｈに、保持機構２１によって保持されたままである。
【００４４】
露光動作時には、図６（ｃ）に示すように、先幕２が付勢機構４３の付勢力によって走行を開始し、少し遅れて後幕３が付勢機構４１の付勢力によって走行を開始する。露光動作が終了し、撮影が終了すると、図６（ｄ）に示すように、先幕２は位置Ｌにあり、後幕３は位置Ｍにある。複眼レンズ１は位置Ｌにある。
【００４５】
撮影が終了して撮像装置ＣＡＭが再度ライブビュー表示動作を行う際に複眼レンズ１は、駆動機構４が発生する駆動力によって位置Ｍに移動する。また、後幕３は、駆動機構４が発生する駆動力によって、付勢機構４１の付勢力が蓄えられた位置Ｈに移動し、保持機構２１によって保持される。
【００４６】
上述したように、本実施形態によれば、図６（ａ）の状態から図６（ｂ）の状態に移行するときに、駆動機構４が発生する駆動力によって、複眼レンズ１が位置Ｌに移動し、先幕２が位置Ｍに移動する。また、図６（ｄ）の状態から図６（ａ）の状態に移行するときに、駆動機構４が発生する駆動力によって、複眼レンズ１が位置Ｍに移動し、後幕３が位置Ｈに移動する。このように、複眼レンズ１の駆動と先幕２または後幕３の駆動とを同時に行うことによって、駆動機構４が発生する駆動力を複眼レンズ１と先幕２または後幕３の駆動とで共通に使用することができる。したがって、複眼レンズ専用の駆動機構が必要ないため、装置の大型化を抑止することができる。また、本実施形態では、複眼レンズ１の移動に付勢力を必要としないので、第１の実施形態における付勢機構４２および保持機構２３を削減することができる。
【００４７】
本実施形態では、複眼レンズ１が位置Ｍと位置Ｌとの間で移動する例を示したが、複眼レンズ１が位置Ｍと位置Ｈとの間で移動するようにしてもよい。
【００４８】
以上、図面を参照して本発明の実施形態について詳述してきたが、具体的な構成は上記の実施形態に限られるものではなく、本発明の要旨を逸脱しない範囲の設計変更等も含まれる。例えば、上記では１つの駆動機構を設けた場合について説明したが、先幕用の駆動機構と後幕用の駆動機構が別個に設けられている場合でも、複眼レンズを移動させる際にいずれかの駆動機構を使用して複眼レンズを移動させることが可能である。
【符号の説明】
【００４９】
１・・・複眼レンズ、２・・・先幕、３・・・後幕、４・・・駆動機構、１０・・・固定枠、２１，２２，２３・・・保持機構、３１，３２，３３・・・伝達機構、４１，４２，４３・・・付勢機構、ＣＡＭ・・・撮像装置、ＭＯ・・・撮像光学系、ＣＰＵ・・・信号処理部、ＯＤ・・・光学系駆動部、ＳＢ・・・設定ボタン、ＳＴ・・・シャッターボタン、ＤＤ・・・表示装置、ＯＬ・・・撮影レンズ、ＩＭＧ・・・撮像素子、ＳＴＰ・・・シャッター部、ＡＦＣ・・・測距演算部、ＩＰ・・・画像処理部、ＭＥＭ・・・記録装置
【図１】
2011215191.tif 000003
【図２】
2011215191.tif 000004
【図３】
2011215191.tif 000005
【図４】
2011215191.tif 000006
【図５】
2011215191.tif 000007
【図６】
2011215191.tif 000008
【図７】
2011215191.tif 000009